(57)【特許請求の範囲】
【請求項１】
内部が中空のケース体であって全体ボール形状体とされ、内部に撮像部を備え、ボール形状体の前部に、内蔵される撮像部のための窓部からなる透明あるいは半透明な前方パネルを備え、ボール形状体の前方パネルに対する後部に、内蔵される撮像部へ配線される電気ケーブルのインレットを備えた切頭部としてなるカメラ本体と、
ボール形状体からなるカメラ本体を被包可能とし、基端部をカメラ本体を内部へ挿入可能とする円筒状とし、これに連続する先端部を基端部側から挿入されたボール形状体からなるカメラ本体を内部で自由方向に回動可能に収容するため、カメラ本体の半径と略同等の湾曲半径とする半球形状部とし、該半球形状部には収容されるカメラ本体の前方パネルを通じてのカメラ本体内の撮像部のための視認領域をなす窓部を備え、さらに円筒状の基端部には取付用のフランジリムが備えられるカメラカバーと、
中心に開口部を備え、該開口部の周部前面側に、カメラカバー内に収容されるカメラ本体の後端側に接する鋭角縁あるいはカメラ本体の半径と同等の曲率半径からなる湾曲縁からなり、カメラ本体の後部側を支持する円形の内側リムを備え、さらに内側リムの外側に円形の被係合部を備えてなり、中心の開口部をカメラ本体の後部より配線される電気ケーブルの通過部とし、任意の構造物に支持させてなるカメラホルダと、
カメラ本体を内部に収容し、かつ該カメラ本体の後部側をカメラホルダに支持させた状態でのカメラカバーの、半球形状部側からカメラカバーに外挿される全体リング形状とされ、一面側にカメラカバーのフランジリムと係合可能なショルダー部を備えるとともに、他面側に、前記ショルダー部がフランジリムに係合された状態において、任意の構造物に支持されたカメラホルダの被係合部に係合可能な係合部を備えてなる取付体と、
を備えなるテレビカメラ。
【請求項２】
内部が中空のケース体であって全体ボール形状体とされ、内部に撮像部を備え、ボール形状体の前部に、内蔵される撮像部のための窓部からなる透明あるいは半透明な前方パネルを備え、ボール形状体の前方パネルに対する後部に、内蔵される撮像部へ配線される電気ケーブルのインレットを備えた切頭部としてなるカメラ本体と、
ボール形状体からなるカメラ本体を被包可能とし、基端部をカメラ本体を内部へ挿入可能とする円筒状とし、これに連続する先端部を基端部側から挿入されたボール形状体からなるカメラ本体を内部で自由方向に回動可能に収容するため、カメラ本体の半径と略同等の湾曲半径とする半球形状部とし、該半球形状部には収容されるカメラ本体の前方パネルを通じてのカメラ本体内の撮像部のための視認領域をなす窓部を備え、さらに円筒状の基端部には取付用のフランジリムが備えられるカメラカバーと、
中心に開口部を備え、該開口部の周部前面側に、カメラカバー内に収容されるカメラ本体の後端側に接する鋭角縁あるいはカメラ本体の半径と同等の曲率半径からなる湾曲縁からなり、カメラ本体の後部側を支持する円形の内側リムを備え、中心の閉口部をカメラ本体の後部より配線される電気ケーブルの通過部とし、任意の構造物に支持させてなるカメラホルダと、
カメラ本体を内部に収容し、かつ該カメラ本体の後部側をカメラホルダに支持させた状態でのカメラカバーのフランジリムを、任意の構造物に取着するための取付体と、
を備えてなるテレビカメラ。
【請求項３】
取付体はフランジリムを任意の構造物に止着するためのネジ、釘あるいはビスである請求項２に記載のテレビカメラ。
【請求項４】
カメラホルダが支持される任意の構造物が、天井部あるいは壁面部に設置される取付ケースとされ、該取付ケースの前面部に内側リムが前面側になるよう前記カメラホルダが取付ケースに一体に配設される請求項１または２に記載のテレビカメラ。
【請求項５】
カメラホルダが支持される任意の構造物が、天井部あるいは壁面部に設置される取付ケースとされ、該取付ケースの前面部に、内側リムが前面側になるよう前記カメラホルダの裏面部を取着可能とし、かつ取付ケースの前面部には取付ケース内からカメラ本体の後部へと配線される電気ケーブルの挿通用の開口が形成される請求項１または２に記載のテレビカメラ。
【請求項６】
カメラホルダが支持される任意の構造物が、天井部、壁面部、床面部あるいは地面に支持されるポールまたはパイプとされ、該ポールまたはパイプの先端の取付部に、内側リムが前面側になるよう前記カメラホルダが取付部に一体に配設される請求項１または２に記載のテレビカメラ。
【請求項７】
カメラホルダが支持される任意の構造物が、天井部、壁面部、床面部あるいは地面に支持されるポールまたはパイプとされ、該ポールまたはパイプの先端の取付部に、内側リムが前面側になるよう前記カメラホルダの裏面部を取着可能とし、かつ取付部の前面部にはポールまたはパイプ内からカメラ本体の後部へと配線される電気ケーブルの挿通用の開口が形成される請求項１または２に記載のテレビカメラ。
【請求項８】
取付ケースは、天井面あるいは壁面上に設置された前面側より観て、円形、矩形あるいは方形のものとされる請求項４または５のいずれかに記載のテレビカメラ。
【請求項９】
取付ケースは、天井部あるいは壁面に埋め込まれ、あるいは設置される電気ボックスである請求項４または５のいずれかに記載のテレビカメラ。
【請求項１０】
取付ケース内には電源、ＡＣアダプタ、コネクタ・ボードあるいは他の電子回路が配設され、電気ケーブルはこれらと電気的に接続され、あるいは選択的に配設されるこれらのいずれかと電気的に接続され、カメラ本体内の撮像部への給電、あるいは該撮像部との送受信を可能としてなる請求項４、５、８あるいは９のいずれかに記載のテレビカメラ。
【請求項１１】
取付ケース内には天井内部あるいは壁面内部より配線される電気ケーブルのための電気ケーブルインレット、あるいは導管用パイプを備えてなる請求項４、５，８あるいは９のいずれかに記載のテレビカメラ。
【請求項１２】
ポールまたはパイプは、ボール形状体からなるカメラ本体よりも小さな外径からなり、該ポールまたはパイプの先端部に形成される取付部は、ポールまたはパイプの先端部よりラッパ状あるいは傘状に拡開されるものとされる請求項６あるいは７のいずれかに記載のテレビカメラ。
【請求項１３】
ラッパ状あるいは傘状に拡開される取付部は、カメラカバー内に収容されるカメラ本体を直射日光、あるいは雪、雨から保護されるよう周部を外方に向けて突出されるものである請求項１２に記載のテレビカメラ。
【請求項１４】
ポールまたはパイプは、ボール形状体からなるカメラ本体と同等、あるいは大きな外径からなり、該ポールまたはパイプの先端部に形成される取付部は、ポールまたはパイプの先端部に、内側リムが前面側になるよう前記カメラホルダが一体に配設されるものとされる請求項６に記載のテレビカメラ。
【請求項１５】
カメラ本体を内部に収容し、かつ該カメラ本体の後部側をカメラホルダに支持させた状態で取付体によりカメラホルダに係合されるカメラカバーのフランジリムを含む該カバーの内部のキャビティ部分を封止可能とするシール部材を備えてなる請求項１または２記載のテレビカメラ。
【請求項１６】
カメラ本体を内部に収容し、かつ該カメラ本体の後部側をカメラホルダに支持させた状態で取付体によりカメラホルダに係合されるカメラカバーの少なくともフランジリムとカメラホルダの間を封止可能とするシール部材を備えてなる請求項１または２記載のテレビカメラ。
【請求項１７】
任意の構造物に支持されたカメラホルダの被係合部には、周方向に沿って螺設される外ネジ部が形成され、一方取付体の係合部は、上記外ネジ部と螺合可能な内ネジ部とされる請求項１に記載のテレビカメラ。
【請求項１８】
任意の構造物に支持されたカメラホルダの被係合部は、周方向に沿って複数配設されるフラップあるいはピンとされ、一方取付体の係合部は、上記各フラップあるいはピンと係合可能な切欠とされる請求項１に記載のテレビカメラ。
【請求項１９】
全体ボール形状体からなるカメラ本体が、半球形状ケースからなる前方区分体と後方区分体を結合し、ボール形状に組立可能に形成されるものである請求項１または２に記載のテレビカメラ。
【請求項２０】
前方パネルは前方区分体の一部の領域に形成される透明部あるいは半透明部である請求項１９に記載のテレビカメラ。
【請求項２１】
前方パネルは前方区分体の全部の領域となるよう前方区分体を透明材あるいは半透明材で形成してなる請求項１９に記載のテレビカメラ。
【請求項２２】
前方区分体と後方区分体は、間にリング状のシール部材を介装され、留め具を用いて一体に結合されるものである請求項１９に記載のテレビカメラ。
【請求項２３】
後方区分体は半球状の頂部を切頭し、該切頭部に電気ケーブルのインレットを配設してなる請求項１９に記載のテレビカメラ。
【請求項２４】
電気ケーブルのインレットは切頭部に穿設され、電気ケーブルをカメラ本体内部に配線する孔部とされ、該孔部には挿通される電気ケーブルと気密状態で接するシール材が配設される請求項１または２に記載のテレビカメラ。
【請求項２５】
カメラ本体には、カメラ本体に内蔵される撮像部の焦点リングを外部より調節するための調節体が備えられる請求項１または２に記載のテレビカメラ。
【請求項２６】
カメラカバーに備えられる窓部は、該カメラカバー内に収容されるカメラ本体の前方パネルより広く開口された切欠とされる請求項１または２に記載のテレビカメラ。
【請求項２７】
カメラカバーに備えられる窓部は、該カメラカバー内に収容されるカメラ本体の前方パネルより広い領域に画成された透明あるいは半透明部分からなるものである請求項１または２に記載のテレビカメラ。
【請求項２８】
カメラカバーは取付体によりカメラホルダに係合され、あるいは任意の構造物に取着される基端部に対し、半球形状部の先端部が、円筒状の基端部の軸線を中心に回動可能となるよう基端部と半球形状部の間に周方向に沿って回転結合部を形成してなる請求項１または２に記載のテレビカメラ。
【請求項２９】
カメラカバーの回転結合部は、半球形状部側あるいは基端部側のいずれかに、円筒状の基端部における軸線を中心とする周部に沿って形成される包囲スロットと、
該包囲スロットと回転可能に結合され、包囲スロットが形成される他側の半球形状部あるいは基端部に、円筒状の基端部における軸線を中心とする周部に沿って形成される包囲フックと、
からなる請求項２８に記載のテレビカメラ。
【発明の詳細な説明】
【０００１】
【発明の属する技術分野】
本発明は例えば監視用途に使用されるテレビカメラに関する。
【０００２】
【従来の技術】
監視用カメラは、一般に、壁、ポール、天井、或は、他の固定ベース（基盤）にカメラ・マウントとして既知の伸張されたアームを用いて取り付けられている。伸張されたアームあるいはカメラ・マウントは、カメラのレンズをその意図された監視目標へ向けるために、カメラの水平方向軸及び垂直方向軸の位置付けを許容する旋回ジョイント又はスイベル・ジョントを備える構造とされる。多くの場合、テレビカメラは大きくて扱いにくいハウジング又はケースによって覆われ、その結果、カメラ・アセンブリ全体が大きくなって重くなり、それが建物の構造やインテリアを著しく乱すものとなっている。
【０００３】
このような状況の下、出願人は、油田、精油所、及び／或いは、同様の爆発性ガス環境の監視等の耐破壊性環境或いは防爆環境に用いられるカメラ用の他のタイプのボール形状のハウジングあるいはケースを提案したところであり、そうしたハウジングあるいはケースの例としては係属中の特願平１１−３５９６９２がある。そうしたボール形状のハウジングあるいはケースは、該ボール形状ケースの径と同等の曲率径を具備して切欠を有する２つのホルダ間に緊密に取り付けられ得る。そうしたボール形状のカメラあるいはケースは、その前方ホルダの把持圧力を解放することによって、該ホルダの前方の異なるシーン（場面）へ向けて再位置決め或いは方向付けさせることができる。しかしながら、そうしたボール形状カメラの位置決めは、その前方ホルダの前方における扇形以内のアングルに限定されており、その限定はレンズの視角がどの程度広いかに依存している。視角が非常に広いレンズの場合、レンズの光路がカメラの小さな再位置決めによってすら前方ホルダ面で遮られ得るので再位置決めは非常に狭いアングルに限定される。
【０００４】
【発明が解決しようとする課題】
本発明の目的は、数々の異なるシーンを監視するために、水平軸及び垂直軸線のより広範な再位置決めを許容する、ボール形状体からなるカメラ本体を有するテレビカメラを提供することである。
【０００５】
本発明の更なる目的は、天井あるいは壁に取り付け可能であると共に、その簡単な再位置決め能力を維持することとしたものである。
【０００６】
本発明の他の目的は、デザインの点で感じが良く、建物のインテリアデザインを遮らないボール形状体からなるカメラ本体を有するテレビカメラを提供することである。
【０００７】
【課題を解決するための手段】
本発明のこの目的を達成するため、内部が中空のケース体であって全体ボール形状体とされ、内部に撮像部を備え、ボール形状体の前部に、内蔵される撮像部のための窓部からなる透明あるいは半透明な前方パネルを備え、ボール形状体の前方パネルに対する後部に、内蔵される撮像部へ配線される電気ケーブルのインレットを備えた切頭部としてなるカメラ本体と、ボール形状体からなるカメラ本体を被包可能とし、基端部をカメラ本体を内部へ挿入可能とする円筒状とし、これに連続する先端部を基端部側から挿入されたボール形状体からなるカメラ本体を内部で自由方向に回動可能に収容するため、カメラ本体の半径と略同等の湾曲半径とする半球形状部とし、該半球形状部には収容されるカメラ本体の前方パネルを通じてのカメラ本体内の撮像部のための視認領域をなす窓部を備え、さらに円筒状の基端部には取付用のフランジリムが備えられるカメラカバーと、中心に開口部を備え、該開口部の周部前面側に、カメラカバー内に収容されるカメラ本体の後端側に接する鋭角縁あるいはカメラ本体の半径と同等の曲率半径からなる湾曲縁からなり、カメラ本体の後部側を支持する円形の内側リムを備え、さらに内側リムの外側に円形の被係合部を備えてなり、中心の開口部をカメラ本体の後部より配線される電気ケーブルの通過部とし、任意の構造物に支持させてなるカメラホルダと、カメラ本体を内部に収容し、かつ該カメラ本体の後部側をカメラホルダに支持させた状態でのカメラカバーの、半球形状部側からカメラカバーに外挿される全体リング形状とされ、一面側にカメラカバーのフランジリムと係合可能なショルダー部を備えるとともに、他面側に、前記ショルダー部がフランジリムに係合された状態において、任意の構造物に支持されたカメラホルダの被係合部に係合可能な係合部を備えてなる取付体と、を備えなるテレビカメラとしたものである。
【０００８】
以下、本発明を添付図面を参照しての本発明の好適な実施例形態を示して説明するところである。
【０００９】
【発明の実施の形態】
図１は実施形態に係るテレビカメラ１０を任意の構造物としての壁面部に取付け、また図２はテレビカメラを天井部に取付けた状態を示すものである。ここで構造物としての天井部、あるいは壁面には、前面より観て方形状をなすカメラホルダ３が支持され、このカメラホルダ３の前面側の中心部にテレビカメラ１０は配設されることとなる。
【００１０】
テレビカメラ１０は内部にボール形状体からなるカメラ本体１３を収容してなるカメラカバー１２を、全体リング形状からなる取付体１２（ロッキングナット）を用いてカメラホルダ３の中心に取付けられる。カメラカバー１２に収容されるカメラ本体１３は内部に撮像部を配設する中空のケース体とされ、前部に内蔵される撮像部のための窓部からなる透明な前方パネル１３Ａを備える。
【００１１】
さらにカメラカバー１２はカメラホルダ３側に支持される基端部を円筒状とし、これに連続してなる先端部を半球形状部としたケース体とされ、半球形状部には収容されるカメラ本体１３の、前方パネル１３Ａを通じての撮像部のための視認領域を確保する切欠窓部１２Ｂが形成される。切欠窓部１２Ｂの開口領域は、カメラケース１２に収容されるカメラ本体１３の前方パネル１３Ａよりも大きなものとされ、ボール形状体からなるカメラ本体１３はカバー１２の内部で自由方向に回転して位置決め・固定され、切欠窓部１２Ｂ内の所定の位置に前方パネル１３Ａを位置決めして、カメラ本体１３内の撮像部を任意の方向に指向させることが可能とされる。
【００１２】
さらに実施形態に係るテレビカメラ１０の構成を詳しく説明するため、図３に分解斜視図を示す。なお、図１および図２においてカメラホルダ３は直接、天井あるいは壁面に一体に支持させてなるが、図３に示すように壁面部や天井部に設置する電気ボックス３Ｈのカバー３上に支持させることとしてもよい。
【００１３】
取付ケースとしての電気ボックス３Ｈは正面正方形状とされ、前面部にカバー３を備える。すなわち、取付ケースとしてのカバー３の中心位置には壁面あるいは天井内部より配線される電気ケーブル５の挿通用の開口３Ｄ（円形開口）が形成され、その外周部には孔部３Ｂが３ヶ所穿設される。このカバー３の開口３Ｄの前面側には、カメラホルダとしてのホルダリング１６が間にリング状のシール材１７を介装する状態で支持される。すなわち、ホルダリング１６は、中心に電気ケーブル５の挿通用の開口部１６Ｄを備える全体リング形状とされ、カバー３の裏面側より孔部３Ｄを挿通する状態で配設される止めネジ１８によりその裏面部に螺着される。これによりホルダリング１６はカバー３の前面部に取着されることとなり、またホルダリング１６とカバー３との間にはシール材１７が介装されるため封止状態とされる。
【００１４】
カバー３上にその裏面部を取着されるホルダリング１６は、その外周部に周方向に沿って螺設される被係合部としての外ネジ部１６Ｂが形成される。一方開口部１６Ｄの周部前面側には、ボール形状体からなるカメラ本体１３の後部側を支持する円形の内側リム１６Ｃが形成される。この内側リム１６Ｃは、カメラ本体１３の後部側と周方向において接触可能な鋭角縁、あるいはボール形状のカメラ本体１３の半径と同等の曲率半径からなる湾曲縁からなる。
【００１５】
ボール形状体からなるカメラ本体１３は、前部に内蔵される撮像部のための窓部からなる透明な前方パネル１３Ａを備え、該前方パネル１３Ａに対する後部における球状の頂部を切頭部１３Ｊとしている（図１３〜図１５参照）。切頭部１３Ｊの略中心部には、内蔵される撮像部へ配線される電気ケーブル５のインレットが備えられる。
【００１６】
後部側を、配線される電気ケーブル５を開口部１６Ｄ並びに開口３Ｄに挿通させる状態で内側リム１６Ｃに支持させてなるカメラ本体１３は、カメラカバー１２により被包される。カメラカバー１２は、図１３ないし図１５に示すように、基端部をカメラ本体１３の内部へ挿入可能とする円筒状とし、これに連続する先端部を、基端部側から挿入されたカメラ本体１３を内部で自由方向に回動可能に収容するため、カメラ本体１３の半径と略同等の湾曲半径とする半球形状部とするケース体により構成される。すなわち、カメラ本体１３は、カメラカバー１２の内部において、先端側に僅かなキャビティ１２Ｃを備える状態で収容され、この結果、前方パネル１３Ａの部分を切欠窓部１２Ｂに対し位置調整可能に回動させることができる。なお、図３に示す例ではカメラカバー１２には、開口状態で形成する切欠窓部１２Ｂとしているが、図１３ないし、図１５の例に示すように窓部１２Ｂを開口することなく、収容されるカメラ本体１３の前方パネル１３Ａより広い領域において半球形状部に画成する透明あるいは半透明部としてもよい。これによりカメラ本体１２内の撮像部は、前方パネル１３Ａ並びに透明、半透明部からなる窓部１２Ｂを透視し、テレビカメラ１０の設置領域を撮像可能とする。カメラカバー１２の円筒状部分の基端部には、周方向に沿って外方に向けて突出形成されるフランジリム１２Ａが備えられる。
【００１７】
内部にカメラ本体１３を収容してなるカメラカバー１２には、フランジリム１２Ａの基端側端面１２Ｄをホルダリング１６の内側リム１６Ｃの外側に当接する状態とされ、この状態でカメラ本体３はホルダリング１６とカメラカバー１２間に挟まれて支持・固定されることとなる。
【００１８】
こうしてカメラ本体１３を内部に収容したカメラカバー１２には、半球形状部側から取付リング１１（取付体）が外挿される。取付リング１１は全体リング形状で一面側にカメラカバー１２のフランジリム１２Ａと係合可能なショルダー１１Ａが備えられ、さらに他面側の内周部にはホルダリング１６の外ネジ部１６Ｂと螺合可能な内ネジ部１１Ｂ（係合部）が形成される。すなわち、取付リング１１は内部にカメラ本体１３を収容したカメラカバー１２のフランジリム１２Ａにショルダー部１１Ａを係合し、ホルダリング１６の外ネジ部１６Ｂに内ネジ部１１Ｂを螺合することにより、テレビカメラ１０をカバー３上に取着・支持させることを可能にしている。
【００１９】
なお、図４に示すように上記ホルダリング１６をカバー３Ａに一体化し、カバー３Ａの全体をカメラホルダとして種々の取付ケース上にテレビカメラ１０を支持させることも可能である。また図３に示すホルダリング１６に代わって、図５に示すホルダリング１１６を用いた差込式継手１００としてもよい。すなわち、このホルダリング１１６は周部に３つの突起フラップ１１６Ａを備える。一方取付リング１１１は上記フラップ１１６Ａと嵌入可能な差込切欠１１１Ｂを備え、取付リング１１１は差込切欠１１１Ｂを突起フラップ１１６Ａに嵌入させた後、回動させることで取付リング１１１をホルダリング１１６に係合させることが可能となる。この他突起フラップ１１６Ａに代わってピンをホルダリング１１６の周部に形成することとしてもよい。
【００２０】
ボール形状体からなるカメラ本体１３は、金属あるいはプラスチック製とされ、型成形、プラスチック射出成形等の方法で形成される。内部が中空とされるカメラ本体１３は、例えば図６に示すように半球形状ケースからなる前方区分体１３Ｕと後方区分体１３Ｂを結合し、ボール形状に組立可能に形成してもよい（請求項１９に対応）。
【００２１】
後方区分体１３Ｂは半球状の頂部を切頭してなる切頭部１３Ｊを後方に備えてなる。この切頭部１３Ｊの略中心には、孔部からなるケーブルインレット１３ＪＫが形成される。このケーブルインレット１３ＪＫには中心に電気ケーブル５を挿通してなるシール材１３Ｋが挿入され、さらにナット１３Ｈをインレット１３ＪＫに螺着することにより、電気ケーブル５を気密状態でカメラ本体１３内に配線することが可能となる。
【００２２】
カメラ本体１３内に配線される電気ケーブル５の先端部には、プラグ１３ＹＭが配設され、該プラグ１３ＹＭはＣＣＤカメラからなる撮像部１３Ｚのコネクタ１３ＹＦに接続される。なお、撮像部１３Ｚにおいて１３ＸＦは、レンズの焦点リングの調節体である。
【００２３】
一方、前方区分体１３Ｕは、半球状の頂部に前方パネル１３Ａを備えるものであるが、この前方パネル１３Ａは図６に示すように透明あるいは半透明からなるパネル材１３Ｑを頂部に形成された孔部に当接し、さらにその周部にリング状のシール部材１３Ｓを配設し、パネルホルダ１３Ｐを前方より被せてネジ１３Ｎにより、パネルホルダ１３Ｐ、シール部材１３Ｓ、パネル材１３Ｑを該頂部に止着して形成される。
【００２４】
なお、前方パネル１３Ａは、図７の前方区分体１３Ｗのように区分体１３Ｗの内側からパネル材１３Ｔを頂部に形成された孔部に当接し、シール部材１３Ｒ並びにパネルホルダ１３Ｖをパネル材１３Ｔに当接し、ネジ１３Ｎにより頂部に止着するようにして形成してもよい（請求項２２に対応）。
【００２５】
こうして構成される前方区分体１３Ｕと後方区分体１３Ｂは、撮像部１３Ｚのレンズを前方パネル１３Ａの方向へ向くように各区分体１３Ｕ、１３Ｂ内で位置決めされ、両区分体１３Ｕ、１３Ｂを球状となるよう衝合する。この際、両区分体１３Ｕ、１３Ｂの間にはリング状のシール部材１３Ｅが介装され、衝合された両区分体１３Ｕ、１３Ｂはネジ１３Ｍ（留め具）により結合し、組み立てられることとなる。
【００２６】
なお、前方区分体１３Ｕにおける前方パネル１３Ａの領域は、頂部における一部としているが、図８の前方区分体１３ＷＰのように、前方区分体１３ＷＰの全体を透明あるいは半透明材で形成し、区分体１３ＷＰそのものを前方パネルとしてもよい（請求項２１に対応）。
【００２７】
なお、各区分体１３Ｕ、１３Ｂの前方パネル１３Ａの部分は、アクリルポリカーボネイト等の透明プラスチック材を用いることとしてもよく、この部分を外部より内部（撮像部１３Ｚ等）が見られないような薄く色付けされたもの、あるいはハーフミラー状のものとしてもよい。さらにカメラ本体１３は、その核となる中心で２分割にされる例を示したが、例えば３つ以上の区分体に分割し、これを組立てることとしてもよい。さらにヒンジ等で開閉できる２分割型としてもよい。
【００２８】
こうして形成されるテレビカメラ１０は、図９のように前方パネル１３Ａの部分を軸線Ｘに沿って指向させ、固定することができる他、図１０のように切欠窓部１２Ｂに対応して任意の角度位置に位置決めすることも可能とされる。さらに図１１のように軸線Ｘから９０度展開させた位置に指向させることも可能とされる。加えて図１２のように、カメラカバー１２の取付リング１１による係合状態を軸線Ｘを中心に３６０度、回転調整することも可能とされ、実質的に前方パネル１３Ａを通じてのカメラ本体１３に内蔵される撮像部１３Ｚを、どの方向へも指向させることが可能となる。
【００２９】
図１３ないし図１５はボール形状体からなるカメラ本体１３がカメラカバー１２内で自由方向に回転される状態を示す断面図である。これらの図面において、カメラカバー１２の窓部１２Ｂは、切欠状の開口ではなく、透明あるいは半透明状とされる。図１３は軸線Ｘに沿ってカメラ本体１３の前方パネル１３Ａを対応させた状態である。図１４は前方パネル１３Ａを任意角度に位置決めした状態であり、さらに図１５は軸線Ｘから９０度未満回動させ、位置決めした状態である。図１４並びに図１５の回動状態において、切頭部１３Ｊの中心にある電線ケーブル５が、ホルダリング１６の開口部１６Ｄを通過可能となるよう切頭部１３Ｊの切頭状態が設定され、ケーブル５は開口部１６Ｄの隙間１６Ｊを通過することとなる。したがって、もし電線ケーブル５が太いものであれば、その分切頭割合が大きくなるところである。
【００３０】
【実施例】
図１６は第１実施例に係るテレビカメラ２０である。このテレビカメラ２０は、戸外に据え付けることを目的とし、カメラカバー２２の内面部２２Ｃとカバー２２内に収容されるカメラ本体１３との間にシール部材２２Ｍを配設している。シール部材２２Ｍはフランジリム２２Ｄとホルダリング１６の前面部１６Ｈの間にも配設され、特にキャビティ２２Ｇの部分にも充填されることとなる。シール部材２２Ｍとしてはラバー、シリコン材などがあるが、カメラカバー２２の窓部の対応部分にはシール部材２２Ｍは充填しないようにしている。
【００３１】
図１７は図１６の変形例に係るテレビカメラ３０であり、カメラカバー３２の内面部３２Ｃとカバー３２内に収容されるカメラ本体１３との間にシール部材３２Ｍを配設している。シール部材３２Ｍはフランジリム３２Ｆと構造物の面部３２Ｓ間、ホルダリング３６の前面部３６Ｈに画成されるキャビティ３２Ｇ、並びにホルダリング３６の内側リム３６Ｃの部分に亘って充填されるが、カメラカバー３２の窓部３２Ｂの部分には充填されないようにしている。
【００３２】
この変形例に係るテレビカメラ３０は、請求項２および３に対応するものであり、前記実施形態のように取付体としての取付けリング１１を用いることなく、カメラカバー３２のフランジリム３２Ｆを任意の構造物に直付けるようにしている。構造物としては壁面、天井部や壁面、天井部に設置される取付ケースなどがある。そして図１８に示すようにフランジリム３２Ｆには周方向に沿って複数の長孔３２Ｈが形成されてなり、この部分にネジ３３を挿通し、構造物に該ネジ３３を螺着するようにしている。さらにネジ３３に変えて、ビス、釘などを用いることとしてもよい。また必ずしも長孔３２Ｈは必要ではなく、フランジリム３２Ｆを構造物に釘打ちすることとしてもよい。
【００３３】
この変形例においてカメラホルダとしてのホルダリング３６は構造物の面部３６Ｓに接着し、支持することとしてもよく、また単に当接・支持させることとしてもよい。さらにこの変形例では構造物内（天井内部、壁面内部等）に導管用パイプ３９を配設し、カメラ本体１３から延びる電線ケーブル５を、この導管用パイプ３９内に配線させるようにしている。
【００３４】
図１９は第２実施例にかかるテレビカメラ４０であり、請求項２８および２９に対応するものである。この実施例においては電線ケーブル５は構造物に形成されたインレット用の開口を挿通され、該開口の前面周部に、ホルダリング３６を内側リム３６Ｃが前面側になるよう当接・支持させている。
【００３５】
第２実施例において、カメラカバーは円筒形の基端部３８Ｍと先端の半球形状部３８Ｎの２つの部分からなり、両部３８Ｍ、３８Ｎは回転結合部３８Ｊの部分で結合される。基端部３８Ｎの基端側に備えられるフランジリム３８Ｆは、図１７のテレビカメラ３０と同様にネジ３３を用いて構造物に螺着される。
【００３６】
回転結合部３８Ｊは、拡大部分に示すように半球形状部３８Ｎ側に、軸線Ｘを中心とする周方向に沿って包囲スロット３８Ｋを備えて形成され、一方基端部３８Ｍ側に包囲スロット３８Ｋとカギ形に結合する包囲フック３８Ｇを備えて形成される。すなわち回転結合部３８Ｊは、構造物に取着・固定される基端部３８Ｍに対し、半球形状部３８Ｎを軸線Ｘを中心に回動可能とし、これにより半球形状部３８Ｎ側に形成される窓部３８Ｂを軸線Ｘ回りに回動させ、カメラカバー内で自由方向に回転されるカメラ本体１３の前方パネル１３Ａをあらゆる方向に指向させることが可能となる。
【００３７】
図２０は第３実施例に係り、柱や壁の縁部に取着されるテレビカメラ５０である。この実施例も前記第２実施例と同様にカメラカバーを半球形状部５８Ｎと、基端部５８Ｍの２つの部分から構成し、基端部５８Ｍのフランジリム５８Ｆの部分をネジ３３を用いて構造物に取着している。また筒状のカメラホルダ５６を構造物の縁部に当接・支持させている。このテレビカメラ５０も半球形状部５８Ｎと基端部５８Ｍを回転結合部３８Ｊにより結合してなり、半球形状部５８Ｎを軸線Ｘを中心に回動可能としている。
【００３８】
図２１は第４実施例に係り、天井や壁のコーナ部に取着されるテレビカメラ６０である。この実施例も前記第２実施例と同様にカメラカバーを半球形状部６８Ｎと、基端部６８Ｍの２つの部分から構成し、基端部６８Ｍのフランジリム６８Ｆの部分をネジ６３を用いて間接的に構造物に取着している。すなわち、この実施例においては、筒状のカメラホルダ６６が、ネジ３３を用いて構造物のコーナ部６６Ａに取着されてなり、フランジリム６８Ｆはカメラホルダ６６の面部６６Ｄ、６６Ｈに当接され、この部分にネジ６３を用いて止着される。カメラホルダ６６にはネジ３３を挿通するための孔部３３Ａが形成される。
【００３９】
このテレビカメラ６０も半球形状部６８Ｎと基端部６８Ｍを回転結合部３８Ｊにより結合してなり、半球形状部６８Ｎを軸線Ｘを中心に回動可能としている。
【００４０】
図２２は第５実施例に係り、構造物としてのポール７５の湾曲部に取着されるテレビカメラ７０である。この実施例も前記第２実施例と同様にカメラカバーを半球形状部７８Ｎと、基端部７８Ｍの２つの部分から構成し、基端部７８Ｍのフランジリム７８Ｆの部分をネジ３３を用いてポール７５の湾曲部に取着している。また筒状のカメラホルダ７６をポール７５の湾曲部に当接・支持させている。このテレビカメラ７０も半球形状部７８Ｎと基端部７８Ｍを回転結合部３８Ｊにより結合してなり、半球形状部７８Ｎを軸線Ｘを中心に回動可能としている。この結果、カメラ本体１３の前方パネル１３Ａを自由方向に指向させることができる。
【００４１】
図２３は第６実施例に係るテレビカメラ８０を示し、請求項１４に対応する。この実施例は、パイプ２２（ポールでもよい）先端の取付部にカメラ本体１３を取付けるものであり、パイプ２２の先端部の周縁にはカメラホルダとしての内側リム２２Ａが一体に形成される。ここでパイプ２２は天井部、壁面部、床面部あるいは地面に基端部を支持されてなり、パイプ２２の先端部が任意の構造物とされる。この内側リム２２Ａは鋭角な縁部とされ、カメラ本体１３の後端部と接し、該後部側を支持可能とする。またパイプ２２の先端の外周部には被係合部としての外ネジ部２２Ｂが形成される。
【００４２】
さらに中心の開口部には電気ケーブル５が挿通され、該ケーブル５はパイプ２２内へと延設される。こうして内側リム２２に接し、支持されるカメラ本体１３の前方側には、カメラカバー１２が被包され、さらに該カメラカバー１２には半球形状部側から取付リング２８（取付体）が外挿され、取付用のフランジリム１２Ａに対してリング２８のショルダー部２８Ａを係合させる。取付リング２８には前記パイプ２２の外ネジ部２２Ｂと螺合する内ネジ部２８Ｂ（係合部）が備えられ、両ネジ部２２Ｂ、２８Ｂを螺合することで、カメラカバー１２と内側リム２２の間でカメラ本体１３が固定されることとなる。すなわち、カメラ本体１３は前方パネル１３Ａの部分をカバー１２の窓部に１２Ｂ内で自由方向に移動調整し、一定の指向位置に位置決めさせるようにしている。
【００４３】
図２４に示すテレビカメラ９０は、第７実施側に係り、前記第６実施側の変形例に係る。この実施例においては、パイプ２２の周縁に、カメラホルダとしての内側リム２２Ｃが備えられ、この内側リム２２Ｃはカメラ本体１３の半径と同等の曲率半径からなる湾曲縁とされる。この内側リム２２Ｃの長さＬを長くすることで、カメラカバー１２との間でのカメラ本体１３の把持能力を増大することが可能となり、逆に短くすることにより把持能力を低下させることが可能となる。その他の構成および作用は前記第６実施例と同様である。なお、第６、第７実施例では、内側リム２２Ａ、２２Ｃ並びに外ネジ部２２Ｂをパイプ２２の先端部に一体形成しているが、図３のホルダリング１６をパイプ２２の先端部に別体で取着することとしてもよい。
【００４４】
図２５ないし図２７は第８実施例にかかるテレビカメラ１２０である。このテレビカメラ１２０は、請求項１２に対応するものであり、ポール２２Ｓ（パイプでもよい）がカメラ本体１３の外径よりも小さいものとされる。ポール２２Ｓの先端部にはラッパ状に拡開される取付部１２２が取着され、取付部１２２の取着は図２７に示すように基端部１２３をポール２２Ｓの先端部に螺合して行う。ラッパ状に拡開され、カメラ本体１３の後部を支持するカメラホルダとしての取付部１２２の前面部には、周方向に円形の内側リム２２Ｃが形成される。また内側リム２２Ｃの外側に被係合部としての外ネジ部２２Ｂを備える。この内側リム２２Ｃに対するカメラ本体１３等の支持並びにカメラの組立は、前記第６、第７実施例と同様につき、説明を省略する。なお、この実施例においては、ポール２２Ｓの先端に取付部１２２を取着する構成としているが、ポールと取付部を一体形成してもよい。なお、ポール２２Ｓは図２６に示すようにＵ字状（２２Ｕ）に曲折して、地面や床面に支持させることが可能とされる。
【００４５】
図２８は第９実施例にかかるテレビカメラ１３０である。このテレビカメラ１３０はポール２２Ｓの先端部に傘状に拡開する取付部１３２を取着してなり、請求項６、１２、１３に対応するものとされる。すなわちこの取付部１３２は、カメラ本体１３に対して外方に向けて拡開する傘部１３１が一体に備えられ、この傘部１３１によりカメラ本体１３を直射日光、あるいは雪、雨から保護するようにしている。その他の構成および作用は第８実施例と同様である。なお、第７、第８実施例においても、ラッパ状、傘状の取付部１２２、１３２に対し、内側リム２２Ｃ、外ネジ部２２Ｂを備えたカメラホルダを一体に成形しているが、図３に示す別体のホルダリング１６を取付部１２２、１３２に取着するようにしてもよい。
【００４６】
また、第８、第９の各実施例においてポールの基端部は、床面や地面に支持させることとしてもよいが、壁面、天井部など任意の構造物に支持させることとしてもよい。
【００４７】
図２９、図３０は請求項２５に対応し、カメラ本体１３の内部に配設される撮像部１３ＺＡの焦点リング１３ＸＦ、１３ＸＦＡを後方区分体１３ＢＦの外方から調節可能としている。撮像部１３ＺＡにはブラケット４９が備えられ、該ブラケット４９には後方にドライバーの嵌合部４６を備えたロッド４１が回動自在に支持される。ロッド４１の前方端は、図２９ではピニオン４５が支持され、該ピニオン４５は焦点リング１３ＸＦの周部に形成されるギヤと噛合される。一方図３０の例では、ロッド４１の前方端にラバー４６が外装され、該ラバー４６は焦点リング１３ＸＦＡと圧接される。そして焦点リング１３ＸＦ、１３ＸＦＡの調節は、後方区分体１３ＢＦのネジ孔４２からドライバーを挿入し、嵌合部４６に嵌合させてロッド４１を回動することにより行われる。調節が完了した後は座金４４を介装させた状態でネジ４３をネジ孔４２に螺合し、これによりカメラ本体１３の内部を外部に対し、密閉させることが可能となる。
【００４８】
図３１は図３の変形例に係るテレビカメラ２００である。このテレビカメラ２００は、正面方形状の電気ボックス３Ｈからなる取付ケースを備えてなり、該取付ケースの前面側には図４と同様の構成に係るカバー３Ａが取着される。電気ボックス３Ｈ内には、電子回路の基板３Ｅの他に、コネクタ等が配設され、電気ケーブル５のプラグ５Ａが接続される。これにより、カメラ本体１３内の撮像部へ給電が行われる他、基板３Ｅ上の回路との間で各種信号の送受信が可能となる。
【００４９】
取付ケースは、この他にも前面側から観て、円形、矩形など様々なものとすることができ、さらに天井部や壁面に埋め込んだものや、突出させたものなど様々なものに適用することができる。
【００５０】
なお、上記各実施形態、実施例に係るものは例示であり、様々な変形、変更を加えることが可能となる。
【００５１】
【発明の効果】
以上のように、本発明によれば数々の異なるシーンを監視するために、水平軸及び垂直軸線のより広範な再位置決めを許容する、ボール形状体からなるカメラ本体を有するテレビカメラを提供することができるという効果がある。
【図面の簡単な説明】
【図１】好適実施形態に係るテレビカメラを壁面に支持した状態を示す斜視図である。
【図２】同テレビカメラを天井部に支持した状態を示す斜視図である。
【図３】テレビカメラの分解状態を示す斜視図である。
【図４】取付ケースのカバーの変形例を示す斜視図である。
【図５】取付リングの変形例を示す斜視図である。
【図６】カメラ本体の分解斜視図である。
【図７】前方区分体の変形例を示す分解斜視図である。
【図８】前方区分体の他の例を示す斜視図である。
【図９】カメラ本体の前方パネルを軸線Xに指向させた状態を示す斜視図である。
【図１０】前方パネルの他の指向状態を示す斜視図である。
【図１１】前方パネルの他の指向状態を示す斜視図である。
【図１２】カメラカバーの旋回指向状態を示す斜視図である。
【図１３】テレビカメラの壁面設置状態での断面図である。
【図１４】前方パネルを下方へ指向させた同断面図である。
【図１５】前方パネルをさらに下方へ指向させてなる同断面図である。
【図１６】カメラ本体のシール状態を示す断面図である。
【図１７】壁面等に支持されるテレビカメラを示す断面図である。
【図１８】図１７のテレビカメラの正面図である。
【図１９】図１７の変形例を示す断面図である。
【図２０】第３実施例に係るテレビカメラを示す断面図である。
【図２１】第４実施例に係るテレビカメラを示す断面図である。
【図２２】第５実施例に係るテレビカメラを示す断面図である。
【図２３】第６実施例に係るテレビカメラの分解斜視図である。
【図２４】第７実施例に係るテレビカメラの分解斜視図である。
【図２５】第８実施例に係るテレビカメラの分解斜視図である。
【図２６】Ｕ字状のポールの先端に取付けられた第８実施例のテレビカメラの斜視図である。
【図２７】図２６のテレビカメラの先端を示す断面図である。
【図２８】第９実施例に係るテレビカメラの図２７と同様の断面図である。
【図２９】カメラ本体に内蔵される撮像部の焦点調節機構を示す斜視図である。
【図３０】図２９の変形例を示す斜視図である。
【図３１】異なる取付ケース上に配設されるテレビカメラの例を示す斜視図である。
【符号の説明】
１０、２０、３０、４０、５０、６０、７０、８０、９０、２００  テレビカメラ
１１  取付リング（取付体）
１６、３６、５６、６６、７６、１１６  ホルダリング（カメラホルダ）
１２、２２、３２  カメラカバー
１３  カメラ本体
３８Ｊ  回転結合部
【図１】
0004348585.tif 000002
【図２】
0004348585.tif 000003
【図３】
0004348585.tif 000004
【図４】
0004348585.tif 000005
【図５】
0004348585.tif 000006
【図６】
0004348585.tif 000007
【図７】
0004348585.tif 000008
【図８】
0004348585.tif 000009
【図９】
0004348585.tif 000010
【図１０】
0004348585.tif 000011
【図１１】
0004348585.tif 000012
【図１２】
0004348585.tif 000013
【図１３】
0004348585.tif 000014
【図１４】
0004348585.tif 000015
【図１５】
0004348585.tif 000016
【図１６】
0004348585.tif 000017
【図１７】
0004348585.tif 000018
【図１８】
0004348585.tif 000019
【図１９】
0004348585.tif 000020
【図２０】
0004348585.tif 000021
【図２１】
0004348585.tif 000022
【図２２】
0004348585.tif 000023
【図２３】
0004348585.tif 000024
【図２４】
0004348585.tif 000025
【図２５】
0004348585.tif 000026
【図２６】
0004348585.tif 000027
【図２７】
0004348585.tif 000028
【図２８】
0004348585.tif 000029
【図２９】
0004348585.tif 000030
【図３０】
0004348585.tif 000031
【図３１】
0004348585.tif 000032